(57)【要約】      （修正有）【課題】電子機器空冷用遠心ファンの送風効率を向上させる遠心ファン用ブレード構造を提供する。【解決手段】遠心ファン１は、中心軸に結合するハブ１１、第１のブレード群１２及び第２のブレード群１３を備え、第１、第２のブレード群はハブ１１の外周を延長して形成された円盤状の接続部１１１の両側となる第１側１１１１及び第２側１１１２にそれぞれ配置され、該接続部によって仕切られた配置となる。また、第１のブレード群１２及び第２のブレード群１３のブレードはそれぞれ独立にそれらの数、間隔、長さを変えて送風効果を調整する。【選択図】図１
0003172436.tif 000002
【実用新案登録請求の範囲】
【請求項１】
ハブ、第１のブレード群及び第２のブレード群を備える遠心ファンのブレードの構造において、
前記ハブは、前記ハブの周囲に円板状の接続部を設けてその両側面をそれぞれ第１側及び第２側とし、
前記第１のブレード群は、間隔をあけて配列される複数の第１のブレードからなると共に、各ブレードは前記接続部の第１側に配置されて前記接続部の外側方向に延伸して構成され、
前記第２のブレード群は、間隔をあけて配列される複数の第２のブレードからなると共に、各ブレードは前記接続部の第２側に配置されて前記接続部の外側方向に延伸して構成されたことを特徴とする遠心ファンのブレードの構造。
【請求項２】
前記複数の第１のブレードは、接続部外側方向に延伸した端部を第１端とし、中心方向の端部を第２端として、前記第２端は、中心方向に高さを低く傾斜して第１の凹部を形成して前記接続部に接続され、
前記複数の第２のブレードは、接続部外側方向に延伸した端部を第４端とし、中心方向の端部を第３端として、前記第３端は、中心方向に高さを低く傾斜して第２の凹部を形成して前記接続部に接続され、
前記複数の第１のブレード間及び前記複数の第２のブレード間にそれぞれ第１の流路及び第２の流路を形成したことを特徴とする請求項１に記載の遠心ファンのブレードの構造。
【請求項３】
前記第１のブレードの第１端の長さは、前記第２のブレードの第３端より長いことを特徴とする請求項２に記載の遠心ファンのブレードの構造。
【請求項４】
前記第２のブレードの第３端の長さは、前記第１のブレードの第１端より長いことを特徴とする請求項２に記載の遠心ファンのブレードの構造。
【請求項５】
前記第１側は、前記円板状の接続部上側であり、前記第２側は、前記円板状の接続部上下側であることを特徴とする請求項１に記載の遠心ファンのブレードの構造。
【請求項６】
前記接続部の外側に延伸する前記第１のブレード群の延伸長さは、前記接続部の外側に延伸する前記第２のブレード群の延伸長さより短いことを特徴とする請求項１に記載の遠心ファンのブレードの構造。
【請求項７】
前記複数の第１のブレードと前記複数の第２のブレードの数は、同一又は異なることを特徴とする請求項１に記載の遠心ファンのブレードの構造。
【請求項８】
前記複数の第１のブレードの各ブレード間に形成された空気の流路を第の１流路とし、
該流路の前記複数の第１のブレードの中心方向の第１端及び外側方向の第２端側をそれぞれ第１の吸込端及び第１の吐出端とし、
前記複数の第２のブレードの各ブレード間形成された空気の流路を第の２流路とし
該流路の前記複数の第２のブレードの中心方向の第３端及び外側方向の第４側をそれぞれ第２の吸込端及び第２の吐出端とし、
記複数の第１のブレードの第１端は、前記第２のブレードの第３端に対して円板状の接続部の両側で相対向する位置になく、かつ、
前記第１の吸込端は、前記第２の吸込端に対して円板状の接続部の両側で相対向する位置にないことを特徴とする請求項１に記載の遠心ファンのブレードの構造。
【請求項９】
前記複数の第１のブレードの各ブレード間に形成された空気の流路を第の１流路とし、
該流路の前記複数の第１のブレードの中心方向の第１端及び外側方向の第２端側をそれぞれ第１の吸込端及び第１の吐出端とし、
前記複数の第２のブレードの各ブレード間形成された空気の流路を第の２流路とし
該流路の前記複数の第２のブレードの中心方向の第３端及び外側方向の第４側をそれぞれ第２の吸込端及び第２の吐出端とし、
記複数の第１のブレードの第１端は、前記第２のブレードの第３端に対して円板状の接続部の両側で相対向する位置にあり、かつ、
前記第１の吸込端は、前記第２の吸込端に対して円板状の接続部の両側で相対向する位置にあることを特徴とする請求項１に記載の遠心ファンのブレードの構造。
【請求項１０】
前記第１のブレード群と前記第２のブレード群との間に、環状体を設けてこれらのブレードに連結したことを特徴とする請求項１に記載の遠心ファンのブレードの構造。
【考案の詳細な説明】
【技術分野】
【０００１】
本考案は、電子部品の放熱用遠心ファンのブレードの構造に関し、特に、２層のブレード群によりファンの導風効果及び増圧効果を高めることができる遠心ファンのブレードの構造に関する。
【背景技術】
【０００２】
電子産業の急速な発展に伴い、電子デバイスの性能は、向上し続けている。電子デバイスは、演算速度の高速化に伴い、発生する熱も増大する。電子デバイスから発生する熱を迅速に排除できない場合、電子デバイスの演算機能が低下したり、電子デバイスが焼損したりする。そのため、限定されたシステム空間中に小型の遠心ファンが配置され、放熱が行われる。遠心ファンは、筐体と、ハブと、ハブ外部に環状に設けられる複数のブレードと、を具える。筐体の上方及び下方には、吸込口をそれぞれ有し、筐体の側辺は、吐出口を有する。運転時、複数のブレードが回転することにより、周囲の空気が流動し、吸込口から進入した軸方向の気流は、ハブの径方向の気流に変更された後、吐出口から吐出される。
【０００３】
従来のファンは、ブレードの形状を変更することにより、風圧及び風量を増大させている。しかし、ブレードの形状を変更することによる効果には、限界があり、ユーザのニーズを満足させることができない。また、筐体が小さいため、ブレードの形状の変更は、設計上限界がある。
【０００４】
即ち、従来の遠心ファンのブレードは、以下（１）〜（４）に示す欠点を有する。
（１）構造設計が限定される。
（２）増圧効果が限定される。
（３）導風効果に優れない。
（４）騒音が大きい。
【先行技術文献】
【特許文献】
【０００５】
【特許文献１】特開２００７−２４７４９５号公報
【特許文献２】特開２００９−１５６１８７号公報
【考案の概要】
【考案が解決しようとする課題】
【０００６】
本考案の目的は、増圧効果を有する遠心ファンのブレードの構造を提供することにある。
【課題を解決するための手段】
【０００７】
上記課題を解決するために、本考案の第１の形態によれば、ハブ、第１のブレード群及び第２のブレード群を備える遠心ファンのブレードの構造であって、前記ハブは、接続部を有し、前記接続部は、第１側及び第２側を有する上、前記ハブの周囲に設けられ、前記第１のブレード群は、前記接続部の第１側から、前記接続部の外側に延伸して構成され、前記第１のブレード群は、間隔をあけて配列される複数の第１のブレードを有し、前記第２のブレード群は、前記接続部の第２側から、前記接続部の外側に延伸して構成され、前記第２のブレード群は、間隔をあけて配列される複数の第２のブレードを有することを特徴とする遠心ファンのブレードの構造が提供される。
【０００８】
また、前記複数の第１のブレードは、第１端及び第２端を有し、前記第２端は、第１の凹部を有する上、前記接続部に接続され、前記複数の第２のブレードは、第３端及び第４端を有し、前記第４端は、第２の凹部を有する上、前記接続部に接続され、前記複数の第１のブレード間は、第１の流路を有し、前記複数の第２のブレード間は、第２の流路を有することが好ましい。
【０００９】
また、前記第１のブレードの第１端の長さは、前記第２のブレードの第３端より長いことが好ましい。
【００１０】
また、前記第２のブレードの第３端の長さは、前記第１のブレードの第１端より長いことが好ましい。
【００１１】
また、前記第１側は、上側の前記接続部に設けられ、前記第２側は、下側の前記接続部に設けられることが好ましい。
【００１２】
また、前記接続部の外側に延伸する前記第１のブレード群の長さは、前記接続部の外側に延伸する前記第２のブレード群の長さより短いことが好ましい。
【００１３】
また、前記複数の第１のブレードと前記複数の第２のブレードの数は、同一又は異なることが好ましい。
【００１４】
また、前記複数の第１のブレードは、第１端及び第２端を有し、前記第２端は、前記接続部に接続され、前記複数の第２のブレードは、第３端及び第４端を有し、前記第４端は、前記接続部に接続され、前記複数の第１のブレードの第１端は、前記第２のブレードの第３端に対向せず、前記複数の第１のブレード間は、第１の流路を有し、前記複数の第２のブレード間は、第２の流路を有し、前記第１の流路は、第１の吸込端及び第１の吐出端を有し、前記第２の流路は、第２の吸込端及び第２の吐出端を有し、前記第１の吸込端は、前記第２の吸込端に対向しないことが好ましい。
【００１５】
また、前記複数の第１のブレードは、第１端及び第２端を有し、前記第２端は、前記接続部に接続され、前記複数の第２のブレードは、第３端及び第４端を有し、前記第４端は、前記接続部に接続され、前記複数の第１のブレードの第１端は、前記第２のブレードの第３端に対向し、前記第１の流路は、第１の吸込端及び第１の吐出端を有し、前記第２の流路は、第２の吸込端及び第２の吐出端を有し、前記第１の吸込端は、前記第２の吸込端に対向することが好ましい。
【００１６】
また、前記第１のブレード群と前記第２のブレード群との間には、環状体が設けられることが好ましい。
【考案の効果】
【００１７】
本考案の遠心ファンのブレードの構造は、以下（１）〜（３）の効果を有する。
（１）導風効果に優れるため、風量を増大させることができる。
（２）増圧効果を有するため、風圧を増大させることができる。
（３）騒音を低減できる。
【図面の簡単な説明】
【００１８】
【図１】本考案の第１実施形態による遠心ファンのブレードの構造を示す斜視図である。
【図２】本考案の第１実施形態による遠心ファンのブレードの構造を示す平面図である。
【図３】本考案の第２実施形態による遠心ファンのブレードの構造を示す側面図である。
【図４】本考案の第３実施形態による遠心ファンのブレードの構造を示す側面図である。
【図５】本考案の第４実施形態による遠心ファンのブレードの構造を示す平面図である。
【図６】本考案の第５実施形態による遠心ファンのブレードの構造を示す平面図である。
【図７】本考案の第６実施形態による遠心ファンのブレードの構造を示す平面図である。
【図８】本考案の第７実施形態による遠心ファンのブレードの構造を示す平面図である。
【図９】本考案の第８実施形態による遠心ファンのブレードの構造を示す平面図である。
【考案を実施するための形態】
【００１９】
以下、本考案の実施形態について図に基づいて説明する。なお、これによって本考案が限定されるものではない。
【００２０】
（第１実施形態）
図１及び図２を参照する。図１及び図２に示すように、本考案の第１実施形態による遠心ファンのブレードの構造１は、ハブ１１、第１のブレード群１２及び第２のブレード群１３を具える。
【００２１】
ハブ１１は、接続部１１１を有する。接続部１１１は、第１側１１１１及び第２側１１１２を有する。接続部１１１は、ハブ１１の周囲に設けられる。第１側１１１１は、上側の接続部１１１に設けられ、第２側１１１２は、下側の接続部１１１に設けられる。
【００２２】
第１のブレード群１２は、接続部１１１の第１側１１１１から、接続部１１１の外側に延伸して構成される。第１のブレード群１２は、複数の第１のブレード１２１を有する。複数の第１のブレード１２１は、間隔をあけて配列される。
【００２３】
第２のブレード群１３は、接続部１１１の第２側１１１２から、接続部１１１の外側に延伸して構成される。第２のブレード群１３は、複数の第２のブレード１３１を有する。複数の第２のブレード１３１は、間隔をあけて配列される。
【００２４】
複数の第１のブレード１２１は、外周方向の第１端１２１１及び中心側の第２端１２１２を有する。第２端１２１２は、中心方向に傾斜した第１の凹部１２１３を有し、接続部１１１に接続される。
複数の第２のブレード１３１は、外周方向の第３端１３１１及び中心方向の第４端１３１２を有する。第４端１３１２は、中心に向けて傾斜した第２の凹部１３１３を有し、接続部１１１に接続される。複数の第１のブレード１２１間には、気流に対する第１の流路１２１４を有する。複数の第２のブレード１３１間には、気流に対する第２の流路１３１４を有する。
【００２５】
（第２実施形態）
図３を参照する。図３に示すように、本考案の第２実施形態による遠心ファンのブレードの構造は、第１実施形態による遠心ファンのブレードの構造と一部構造が同一であるため、同一部分は、ここでは繰り返して述べない。本考案の第２実施形態による遠心ファンのブレードの構造においては、第１のブレード１２１の第１端１２１１の図３における長さが第２のブレード１３１の第３端１３１１より長い。
【００２６】
（第３実施形態）
図４を参照する。図４に示すように、本考案の第３実施形態による遠心ファンのブレードの構造は、第１実施形態による遠心ファンのブレードの構造と一部構造が同一であるため、同一部分は、ここでは繰り返して述べない。本考案の第３実施形態による遠心ファンのブレードの構造においては、第２のブレード１３１の第３端１３１１の長さが図４において第１のブレード１２１の第１端１２１１より長い。
【００２７】
（第４実施形態）
図５を参照する。図５に示すように、本考案の第４実施形態による遠心ファンのブレードの構造は、第１実施形態による遠心ファンのブレードの構造と一部構造が同一であるため、同一部分は、ここでは繰り返して述べない。本考案の第４実施形態による遠心ファンのブレードの構造においては、接続部１１１の外側に延伸する第１のブレード群１２の長さが接続部１１１の外側に延伸する第２のブレード群１３の長さより短い。
【００２８】
（第５実施形態）
図６を参照する。図６に示すように、本考案の第５実施形態による遠心ファンのブレードの構造は、第１実施形態による遠心ファンのブレードの構造と一部構造が同一であるため、同一部分は、ここでは繰り返して述べない。本考案の第５実施形態による遠心ファンのブレードの構造においては、複数の第１のブレード１２１と複数の第２のブレード１３１の数が異なる。本考案の第５実施形態においては、複数の第１のブレード１２１の数が複数の第２のブレード１３１の数より少ないが、これのみに限定されない。
【００２９】
（第６実施形態）
図７を参照する。図７に示すように、本考案の第６実施形態による遠心ファンのブレードの構造は、第１実施形態による遠心ファンのブレードの構造と一部構造が同一であるため、同一部分は、ここでは繰り返して述べない。
本考案の第６実施形態による遠心ファンのブレードの構造においては、第１のブレード１２１の第１端１２１１が第２のブレード１３１の第３端１３１１の位置に対向しない。また、第１の流路１２１４は、第１の吸込端１２１４ａ及び第１の吐出端１２１４ｂを有する。また、第２の流路１３１４は、第２の吸込端１３１４ａ及び第２の吐出端１３１４ｂを有する。ここで第１の吸込端１２１４ａは、第２の吸込端１３１４ａに対向しない。
【００３０】
（第７実施形態）
図８を参照する。図８に示すように、本考案の第７実施形態による遠心ファンのブレードの構造は、第１実施形態による遠心ファンのブレードの構造と一部構造が同一であるため、同一部分は、ここでは繰り返して述べない。
本考案の第７実施形態による遠心ファンのブレードの構造においては、第１のブレード１２１の第１端１２１１が第２のブレード１３１の第３端１３１１に対向して位置する。また、第１の流路１２１４は、第１の吸込端１２１４ａ及び第１の吐出端１２１４ｂを有する。また、第２の流路１３１４は、第２の吸込端１３１４ａ及び第２の吐出端１３１４ｂを有する。第１の吸込端１２１４ａは、第２の吸込端１３１４ａに対向して位置する。
【００３１】
（第８実施形態）
図９を参照する。図９に示すように、本考案の第８実施形態による遠心ファンのブレードの構造は、第１実施形態による遠心ファンのブレードの構造と一部構造が同一であるため、同一部分は、ここでは繰り返して述べない。本考案の第８実施形態による遠心ファンのブレードの構造においては、第１のブレード群１２と第２のブレード群１３との間に、環状体１４が設けられる。環状体１４により、遠心ファンのブレードの構造１全体の構造強度が高められる。
【００３２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３３】
１  遠心ファンのブレードの構造
１１  ハブ
１２  第１のブレード群
１３  第２のブレード群
１４  環状体
１１１  接続部
１２１  第１のブレード
１３１  第２のブレード
１１１１  第１側
１１１２  第２側
１２１１  第１端
１２１２  第２端
１２１３  第１の凹部
１２１４  第１の流路
１２１４ａ  第１の吸込端
１２１４ｂ  第１の吐出端
１３１１  第３端
１３１２  第４端
１３１３  第２の凹部
１３１４  第２の流路
１３１４ａ  第２の吸込端
１３１４ｂ  第２の吐出端
【図１】
0003172436.tif 000003
【図２】
0003172436.tif 000004
【図３】
0003172436.tif 000005
【図４】
0003172436.tif 000006
【図５】
0003172436.tif 000007
【図６】
0003172436.tif 000008
【図７】
0003172436.tif 000009
【図８】
0003172436.tif 000010
【図９】
0003172436.tif 000011